(57)【要約】【課題】排水槽内の汚水に気体を効率良く溶解させる水処理装置を提供する。【解決手段】排水槽２内の汚水に気体を溶解させるための水処理装置１であって、貯留室１１を有する混合装置１０と、汚水を貯留室１１に供給する液体供給装置２０と、気体を貯留室１１に供給する気体供給装置３０と、を備えている。また、水処理装置１は、汚水の水質を測定する水質測定器４０と、液体供給装置２０および気体供給装置３０を制御する制御装置５０と、を備えている。混合装置１０には、処理水を貯留室１１から排水槽２に排出する排出口１４が設けられている。制御装置５０は、水質測定器４０の測定値に応じて、液体供給装置２０および気体供給装置３０を駆動させる。【選択図】図１
2019085771.tif 000002
【特許請求の範囲】
【請求項１】
排水槽内の汚水に気体を溶解させるための水処理装置であって、
貯留室を有する混合装置と、
前記汚水を汲み上げて前記貯留室に供給する液体供給装置と、
前記気体を前記貯留室に供給する気体供給装置と、
前記汚水の水質を測定する水質測定器と、
前記液体供給装置および前記気体供給装置を制御する制御装置と、を備え、
前記混合装置には、前記汚水に前記気体を溶解させた処理水を前記貯留室から前記排水槽に排出する排出口が設けられており、
前記制御装置は、
前記水質測定器の測定値に応じて、前記液体供給装置および前記気体供給装置を駆動させることを特徴とする水処理装置。
【請求項２】
請求項１に記載の水処理装置であって、
前記水質測定器は、前記汚水の溶存酸素濃度を測定する溶存酸素濃度センサを備えており、
前記制御装置は、前記溶存酸素濃度が設定値以下の場合に、前記液体供給装置および前記気体供給装置を駆動させることを特徴とする水処理装置。
【請求項３】
請求項１または請求項２に記載の水処理装置であって、
前記水質測定器は、前記排水槽内の硫化水素濃度を測定する硫化水素濃度センサを備えており、
前記制御装置は、前記硫化水素濃度が設定値以上の場合に、前記液体供給装置および前記気体供給装置を駆動させることを特徴とする水処理装置。
【請求項４】
請求項１から請求項３のいずれか一項に記載の水処理装置であって、
前記制御装置は、タイマーの設定時間に応じて、前記液体供給装置および前記気体供給装置を駆動させることを特徴とする水処理装置。
【請求項５】
水処理装置を用いて排水槽内の汚水に気体を溶解させる水処理方法であって、
前記水処理装置は、貯留室を有する混合装置を備えており、
水質測定器によって前記汚水の水質を測定する段階と、
前記水質測定器の測定値に応じて、前記汚水を前記貯留室に供給するとともに、前記気体を前記貯留室に供給する段階と、
前記汚水に前記気体を溶解させた処理水を前記貯留室から前記排水槽に排出する段階と、を備えていることを特徴とする水処理方法。
【発明の詳細な説明】
【技術分野】
【０００１】
本発明は、排水槽内の汚水に気体を溶解させるための水処理装置および水処理方法に関する。
【背景技術】
【０００２】
ビルなどに設けられた排水槽では、生活排水などの汚水を貯留した後に、汚水をポンプによって汲み上げて下水道に排出している。このような排水槽や下水道のマンホール内などのように汚水が一時的に滞留するような箇所（以下まとめて「排水槽」という）では、汚水に含まれる有機物が腐敗して、汚水の溶存酸素濃度が低下すると、汚水から硫化水素が発生して悪臭が発生する。
【０００３】
従来の汚水の処理方法としては、排水槽内の攪拌機によって汚水を攪拌して汚水に酸素を溶解させることで、汚水の溶存酸素濃度を高めて、硫化水素の発生を抑えているものがある（例えば、特許文献１参照）。
【先行技術文献】
【特許文献】
【０００４】
【特許文献１】特開２００５−２４８５１６号公報
【発明の概要】
【発明が解決しようとする課題】
【０００５】
従来の汚水の処理方法では、排水槽内の汚水全体に直接酸素を供給しているため、汚水に供給した酸素の大部分が大気中に気散してしまうという問題がある。
【０００６】
本発明は、前記した問題を解決し、排水槽内の汚水に気体を効率良く溶解させることができる水処理装置および水処理方法を提供することを課題とする。
【課題を解決するための手段】
【０００７】
前記課題を解決するため、本発明は、排水槽内の汚水に気体を溶解させるための水処理装置である。前記水処理装置は、貯留室を有する混合装置と、前記汚水を汲み上げて前記貯留室に供給する液体供給装置と、前記気体を前記貯留室に供給する気体供給装置と、を備えている。また、前記水処理装置は、前記汚水の水質を測定する水質測定器と、前記液体供給装置および前記気体供給装置を制御する制御装置と、を備えている。前記混合装置には、前記汚水に前記気体を溶解させた処理水を前記貯留室から前記排水槽に排出する排出口が設けられている。前記制御装置は、前記水質測定器の測定値に応じて、前記液体供給装置および前記気体供給装置を駆動させる。
【０００８】
前記課題を解決するため、本発明は、水処理装置を用いて排水槽内の汚水に気体を溶解させる水処理方法であって、前記水処理装置は、貯留室を有する混合装置を備えている。そして、水質測定器によって前記汚水の水質を測定する段階と、前記水質測定器の測定値に応じて、前記汚水を前記貯留室に供給するとともに、前記気体を前記貯留室に供給する段階と、を備えている。さらに、前記汚水に前記気体を溶解させた処理水を前記貯留室から前記排水槽に排出する段階を備えている。
【０００９】
本発明の水処理装置および水処理方法では、混合装置の貯留室内で汚水と気体を混ぜることで、汚水に気体を効率良く溶解させることができる。したがって、排水槽内の汚水全体に直接気体を供給する場合に比べて、汚水への気体の供給量を減らすことができる。
【００１０】
本発明の水処理装置および水処理方法では、排水槽と混合装置との間で汚水が循環するため、排水槽内の汚水全体に気体を効率良く溶解させることができる。
また、排水槽と混合装置との間で汚水が循環することで、排水槽内の汚水全体が流動するため、排水槽に沈殿物や浮遊物が蓄積され難くなる。これにより、排水槽から沈殿物や浮遊物を除去する作業を減らすことができるため、排水槽の維持管理に係る費用を低減することができる。
【００１１】
本発明の水処理装置および水処理方法は、汚水の水質を測定し、その測定結果に応じて、制御装置が液体供給装置および気体供給装置を駆動させるため、これらの装置を常時駆動させる場合に比べて、省エネルギー化することができる。
【００１２】
前記水質測定器が前記汚水の溶存酸素濃度を測定する溶存酸素濃度センサを備えている場合には、前記制御装置は、前記溶存酸素濃度が設定値以下の場合に、前記液体供給装置および前記気体供給装置を駆動させることが好ましい。
また、前記水質測定器が前記排水槽内の硫化水素濃度を測定する硫化水素濃度センサを備えている場合には、前記制御装置は、前記硫化水素濃度が設定値以上の場合に、前記液体供給装置および前記気体供給装置を駆動させることが好ましい。
これらの構成では、汚水から硫化水素が発生するのを効果的に抑えることができる。
【００１３】
前記した水処理装置において、制御装置がタイマーの設定時間に応じて、前記液体供給装置および前記気体供給装置を駆動させることが好ましい。
この構成では、排水槽に汚水が滞留し易い時間帯に応じて、制御装置が液体供給装置および気体供給装置を駆動させることで、汚水の水質を安定させることができる。
【発明の効果】
【００１４】
本発明の水処理装置および水処理方法によれば、排水槽内の汚水に気体を効率良く溶解させることができるため、排水槽内の汚水から悪臭が発生するのを効果的に抑えることができる。
【図面の簡単な説明】
【００１５】
【図１】本発明の実施形態に係る水処理装置を示した構成図である。
【図２】本発明の実施形態に係る水処理方法を示したフローチャートである。
【発明を実施するための形態】
【００１６】
本発明の実施形態について、適宜図面を参照しながら詳細に説明する。
本実施形態では、図１に示すように、ビルの地下に設けられた排水槽２（ビルピット）に設置される水処理装置１について説明する。
排水槽２には、生活排水などの汚水が流入路２ａから流入して底部に貯留する。その後、排水槽２内の汚水は、排水路２ｂを通じて下水道に排出される。
このような排水槽２では、汚水に含まれる有機物が腐敗して、汚水の溶存酸素濃度が低下すると、汚水から硫化水素が発生して、排水槽２内に悪臭が発生する。
【００１７】
本実施形態の水処理装置１および水処理方法は、排水槽２内の汚水に酸素（特許請求の範囲における「気体」）を溶解させて、汚水の溶存酸素濃度を高めることで、汚水から硫化水素が発生するのを抑えるものである。
【００１８】
本実施形態の水処理装置１は、排水槽２内に配置された混合装置１０と、排水槽２内の汚水を汲み上げて排水路２ｂに流入させる排水装置６０と、を備えている。
また、水処理装置１は、排水槽２内の汚水を混合装置１０に供給する液体供給装置２０と、酸素を混合装置１０に供給する気体供給装置３０と、を備えている。
さらに、水処理装置１は、排水槽２内の汚水の水質を測定する水質測定器４０と、液体供給装置２０および気体供給装置３０を制御する制御装置５０と、を備えている。
【００１９】
排水装置６０は、排水槽２の底部に配置された排水用ポンプ６１と、排水用ポンプ６１に接続された排水管６２と、を備えている。
排水管６２の一端部は、排水用ポンプ６１の吐出口に接続されている。また、排水管６２の他端部は、排水路２ｂに挿入されている。
排水用ポンプ６１によって汲み上げられた汚水は、排水管６２内に圧送され、排水管６２を通じて排水路２ｂに流入する。
【００２０】
混合装置１０は、排水槽２内の上部に配置されている。混合装置１０は、排水槽２の底部に貯留された汚水の水面よりも上方に配置されるように位置が設定されている。
混合装置１０は、貯留室１１を有する処理槽１２を備えている。貯留室１１は、汚水が貯留される空間であり、貯留室１１内で汚水に酸素が溶解される。混合装置１０では、汚水に酸素が溶解された処理水が貯留室１１から排出される。
【００２１】
貯留室１１の側部の内面には、汚水を貯留室１１に注入するための注入口１３と、貯留室１１から処理水を排出するための排出口１４と、が開口している。
注入口１３および排出口１４は、同一平面の下部に配置されている。また、注入口１３は排出口１４の上方に配置されている。
【００２２】
処理槽１２の外面には、排出管１５の一端部が接続されている。排出管１５の一端部は排出口１４に連通している。排出管１５は、処理槽１２から下方に向けて延びている。排出管１５の他端部は、排水槽２の底部に配置されている。
【００２３】
液体供給装置２０は、排水槽２の底部に配置される注入用ポンプ２１と、注入用ポンプ２１に接続された注入管２２と、を備えている。
注入管２２の一端部は、注入用ポンプ２１の吐出口に接続されている。また、注入管２２の他端部は、混合装置１０の注入口１３に接続されている。
【００２４】
気体供給装置３０は、高濃度の酸素を送り出すコンプレッサ３１と、コンプレッサ３１に接続された供給管３２と、を備えている。
供給管３２の一端部は、コンプレッサ３１の吐出口に接続されている。また、供給管３２の他端部は、液体供給装置２０の注入管２２に接続されている。
【００２５】
液体供給装置２０の注入用ポンプ２１によって汲み上げられた汚水は、注入管２２内に圧送される。また、気体供給装置３０のコンプレッサ３１から送り出された酸素は、供給管３２内に圧送され、供給管３２から注入管２２内に流入する。
そして、汚水および酸素は、注入管２２から注入口１３を通じて、混合装置１０の貯留室１１内に注入される。
【００２６】
汚水および酸素が貯留室１１内に注入されると、汚水および酸素は貯留室１１内で渦流して、汚水に酸素が溶解される。そして、汚水に酸素を溶解させた処理水の溶存酸素濃度が高くなり、この処理水が排出口１４から排出管１５を通じて排水槽２に排出される。
【００２７】
水質測定器４０は、排水槽２内の底部に配置された溶存酸素濃度センサ４１と、排水槽２内の上部に配置された硫化水素濃度センサ４２と、を備えている。
溶存酸素濃度センサ４１は、排水槽２内の汚水の溶存酸素濃度を測定するものである。また、硫化水素濃度センサ４２は、排水槽２内の硫化水素濃度を測定するものである。
なお、溶存酸素濃度センサ４１は、注入ポンプ２１と貯留室１１の注入口１３との間に配置してもよい。
【００２８】
制御装置５０は、注入用ポンプ２１、コンプレッサ３１および排水用ポンプ６１の駆動を制御するコンピュータである。制御装置５０の各処理は、記憶部に記憶されているプロクラムをＣＰＵ（中央処理装置）が実行することで実現される。
制御装置５０には、溶存酸素濃度センサ４１や硫化水素濃度センサ４２の他に、排水槽２内の汚水の水位を測定する水位センサ（図示せず）などの各種のセンサが接続されている。また、制御装置５０には、タイマー５１が設けられている。
【００２９】
制御装置５０は、水位センサ（図示せず）で測定された汚水の水位が設定値以上の場合には、排水用ポンプ６１を駆動させて、排水槽２内の汚水を排水路２ｂに排出する。そして、制御装置５０は、汚水の水位が設定値よりも小さくなると、排水用ポンプ６１を停止させる。
このように、排水槽２内の汚水の水位の増減に応じて、制御装置５０が排水用ポンプ６１を駆動および停止させることで、排水槽２内には一定量の汚水が貯留されている。
【００３０】
制御装置５０は、溶存酸素濃度センサ４１で測定された溶存酸素濃度が設定値以下の場合には、注入用ポンプ２１およびコンプレッサ３１を駆動させる。
つまり、制御装置５０は、汚水の溶存酸素濃度が低くなり、汚水から硫化水素が発生し易い状態である場合には、注入用ポンプ２１およびコンプレッサ３１を駆動させる。
これにより、混合装置１０に汚水および酸素が注入され、汚水に酸素を溶解させた処理水が貯留室１１から排水槽２に排出されて、排水槽２内の汚水に処理水が混合される。
制御装置５０は、汚水の溶存酸素濃度が設定値よりも大きくなり、汚水から硫化水素が発生し難い状態になると、注入用ポンプ２１およびコンプレッサ３１を停止する。
【００３１】
制御装置５０は、硫化水素濃度センサ４２で測定された硫化水素濃度が予め設定された設定値以上の場合には、注入用ポンプ２１およびコンプレッサ３１を駆動させる。
つまり、制御装置５０は、汚水から硫化水素が発生している場合には、注入用ポンプ２１およびコンプレッサ３１を駆動させる。
これにより、混合装置１０に汚水および酸素が注入され、汚水に酸素を溶解させた処理水が貯留室１１から排水槽２に排出されて、排水槽２内の汚水に処理水が混合される。
制御装置５０は、排水槽２内の硫化水素濃度が設定値よりも小さくなると、注入用ポンプ２１およびコンプレッサ３１を停止する。
【００３２】
制御装置５０は、タイマー５１に予め設定された時間は注入用ポンプ２１およびコンプレッサ３１を駆動させる。例えば、排水槽２内に流入する汚水が少なく、排水槽２内に汚水が滞留し易い時間帯（時間や曜日）には、汚水から硫化水素が発生し易くなる。このような時間帯には、溶存酸素濃度センサ４１および硫化水素濃度センサ４２の測定値に拘わらず、注入用ポンプ２１およびコンプレッサ３１を駆動させることが好ましい。
【００３３】
次に、本実施形態の水処理装置１を用いて、排水槽２内の汚水に酸素を溶解させる水処理方法について説明する。なお、以下の説明では、図２に示すフローチャートを適宜に参照する。
液体供給装置２０の注入用ポンプ２１および気体供給装置３０のコンプレッサ３１が停止している状態で、排水槽２内の汚水の溶存酸素濃度を溶存酸素濃度センサ４１によって測定するとともに（Ｓ１０）、排水槽２内の硫化水素濃度を硫化水素濃度センサ４２によって測定する（Ｓ２０）。
【００３４】
制御装置５０は、溶存酸素濃度センサ４１の測定値が設定値以下であるか否かを判定し、設定値よりも大きい場合は（Ｓ１１のＮＯ）、溶存酸素濃度センサ４１による汚水の溶存酸素濃度の測定を繰り返す（Ｓ１０）。
【００３５】
制御装置５０は、硫化水素濃度センサ４２の測定値が設定値以上であるか否かを判定し、設定値よりも小さい場合は（Ｓ２１のＮＯ）、硫化水素濃度センサ４２による排水槽２内の硫化水素濃度の測定を繰り返す（Ｓ２０）。
【００３６】
制御装置５０は、溶存酸素濃度センサ４１の測定値が設定値以下である場合（Ｓ１１のＹＥＳ）、または、硫化水素濃度センサ４２の測定値が設定値以上である場合（Ｓ２１のＹＥＳ）には、注入用ポンプ２１およびコンプレッサ３１を駆動させる（Ｓ３０）。
なお、溶存酸素濃度センサ４１の測定値が設定値以下であるとともに、硫化水素濃度センサ４２の測定値が設定値以上である場合に、注入用ポンプ２１およびコンプレッサ３１を駆動させるように、制御装置５０を設定してもよい。
【００３７】
注入用ポンプ２１およびコンプレッサ３１が駆動して、汚水および酸素が混合装置１０の注入口１３から貯留室１１内に注入されると、汚水および酸素は貯留室１１の内面に当接して流れが大きく変化する。
【００３８】
貯留室１１内の汚水には上側の渦流と下側の渦流とが形成され、汚水および酸素が貯留室１１内で渦流する。なお、注入口１３と排出口１４とが対峙した二面に形成されていないため、汚水および酸素が渦流に巻き込まれることなく、排出口１４に流入するのを減少させることができる。
これにより、汚水および酸素は、貯留室１１内で長い経路を流れることになり、汚水および酸素の挙動が大きく乱れることで、汚水と酸素とが十分に接触するため、汚水と酸素とを良く混ぜることができる。
【００３９】
このようにして、汚水に酸素を溶解させた処理水の溶存酸素濃度が高くなる。そして、処理水が排出口１４から排出管１５を通じて排水槽２に排出される（Ｓ３１）。
貯留室１１から排出された処理水が排水槽２内の汚水に混合することで、排水槽２内の汚水の溶存酸素濃度が高くなる。
【００４０】
注入用ポンプ２１およびコンプレッサ３１の駆動開始から所定時間が経過した後に、排水槽２内の汚水の溶存酸素濃度を溶存酸素濃度センサ４１によって測定するともに（Ｓ１２）、排水槽２内の硫化水素濃度を硫化水素濃度センサ４２によって測定する（Ｓ２２）。なお、注入用ポンプ２１およびコンプレッサ３１の駆動開始から継続的に溶存酸素濃度および硫化水素濃度を測定してもよい。
【００４１】
制御装置５０は、溶存酸素濃度センサ４１の測定値が設定値以下である場合（Ｓ１３のＹＥＳ）、または、硫化水素濃度センサ４２の測定値が設定値以上である場合（Ｓ２３のＹＥＳ）には、注入用ポンプ２１およびコンプレッサ３１の駆動を継続する（Ｓ３０）。
なお、溶存酸素濃度センサ４１の測定値が設定値以下であるとともに、硫化水素濃度センサ４２の測定値が設定値以上である場合に、注入用ポンプ２１およびコンプレッサ３１の駆動を継続するように、制御装置５０を設定してもよい。
【００４２】
制御装置５０は、溶存酸素濃度センサ４１の測定値が設定値よりも大きいとともに（Ｓ１３のＮＯ）、硫化水素濃度センサ４２の測定値が設定値よりも小さい場合（Ｓ２３のＮＯ）には、注入用ポンプ２１およびコンプレッサ３１を停止させる（Ｓ４０）。
なお、溶存酸素濃度センサ４１の測定値が設定値よりも大きいとともに、硫化水素濃度センサ４２の測定値が設定値よりも小さい状態から所定時間が経過した後に、注入用ポンプ２１およびコンプレッサ３１を停止させてもよい。
また、溶存酸素濃度センサ４１の測定値が設定値よりも大きいとともに、硫化水素濃度センサ４２の測定値が設定値よりも小さい状態が複数回に亘って繰り返されたときに、注入用ポンプ２１およびコンプレッサ３１を停止させてもよい。
【００４３】
注入用ポンプ２１およびコンプレッサ３１を停止した後は、前記したように、溶存酸素濃度センサ４１の測定値および硫化水素濃度センサ４２の測定値に基づいて、注入用ポンプ２１およびコンプレッサ３１の駆動および停止を繰り返す。
【００４４】
本実施形態の水処理装置１では、排水槽２内の汚水が滞留し易い時間帯（時間や曜日）がタイマー５１に設定されている。そして、タイマー５１に設定された時間帯は、溶存酸素濃度センサ４１および硫化水素濃度センサ４２の測定値に拘わらず、制御装置５０が注入用ポンプ２１およびコンプレッサ３１を駆動させる。
このように、汚水から硫化水素が発生し易い時間を予測して、汚水に酸素を溶解させることで、汚水の水質を安定させることができる。
【００４５】
以上のような本実施形態の水処理装置１および水処理方法では、混合装置１０の貯留室１１内で汚水と酸素を混ぜるため、汚水に酸素を効率良く溶解させることができる。
また、本実施形態の水処理装置１および水処理方法では、排水槽２と混合装置１０との間で汚水が循環するため、排水槽２内の汚水全体に酸素を効率良く溶解させることができる。
したがって、本実施形態の水処理装置１および水処理方法では、排水槽２内の汚水に酸素を効率良く溶解させることができるため、排水槽２内の汚水から悪臭が発生するのを効果的に抑えることができる。
【００４６】
本実施形態の水処理装置１および水処理方法では、排水槽２と混合装置１０との間で汚水が循環することで、排水槽２内の汚水全体が流動するため、排水槽２に沈殿物や浮遊物が蓄積され難くなる。これにより、排水槽２から沈殿物や浮遊物を除去する作業を減らすことができるため、排水槽２の維持管理に係る費用を低減することができる。
【００４７】
本実施形態の水処理装置１および水処理方法では、汚水に酸素を効率良く溶解させることができるため、排水槽２内の汚水全体に攪拌機を用いて直接酸素を供給する場合に比べて、汚水への酸素の供給量を減らすことができる。
【００４８】
本実施形態の水処理装置１および水処理方法では、汚水の溶存酸素濃度や排水槽２内の硫化水素濃度を測定し、その測定結果に応じて、制御装置５０が液体供給装置２０および気体供給装置３０を駆動させるため、これらの装置を常時駆動させる場合に比べて、水処理装置１による水処理を省エネルギー化することができる。
【００４９】
以上、本発明の実施形態について説明したが、本発明は前記実施形態に限定されることなく、その趣旨を逸脱しない範囲で適宜に変更が可能である。
本実施形態では、ビルの地下に設けられた排水槽２（ビルピット）に設置した水処理装置１について説明したが、本発明の水処理装置および水処理方法を適用可能な排水槽は限定されるものではなく、例えば、マンホールや工場などの各種施設に設置される排水槽に適用可能である。
【００５０】
マンホール内の密閉された空間では、汚水を圧送ポンプによって配管内に圧送する場合に、配管内に混在する酸素などの気体によって、配管内の圧力損失が増加し易い。そのため、ポンプの負荷が大きくなり、汚水を円滑に圧送することが難しくなることで、ポンプの送液量が低下する場合がある。また、配管の一部に気体が溜まり、いわゆるエアロック現象によって汚水の円滑な流れが阻害される場合もある。
本実施形態の水処理装置１では、汚水への酸素の供給量を減少させることができるため、配管内に混在する酸素（気体）による配管内の圧力損失を抑えるとともに、配管内のエアロック現象を抑えることができるため、注入用ポンプ２１および排水用ポンプ６１の送液量が低下するのを防ぐことができる。
【００５１】
本実施形態では、汚水に酸素を溶解させているが、汚水に溶解させる気体は限定されるものではなく、汚水の水質改善に適した気体を供給することができる。例えば、汚水に空気（大気）を溶解させてもよい。
【００５２】
本実施形態では、溶存酸素濃度および硫化水素濃度によって汚水の水質を判定して、液体供給装置２０および気体供給装置３０の駆動を制御しているが、汚水の水質を判定する要因は限定されるものではない。例えば、溶存酸素濃度センサ４１および硫化水素濃度センサ４２のいずれか一方を設け、溶存酸素濃度または硫化水素濃度の一つの要因によって汚水の水質を判定してもよい。さらに、汚水や排水槽２内の各種の物質を測定することで、処理水の水質を判定することができる。
【００５３】
本実施形態では、混合装置１０が排水槽２内に配置されているが、混合装置１０を排水槽２の外部に配置してもよい。この場合には、混合装置１０の維持管理を容易に行うことができる。
【００５４】
本実施形態の水処理装置１において、混合装置１０の貯留室１１の形状や大きさは限定されるものではない。また、注入口１３や排出口１４の位置や大きさも限定されるものではない。混合装置１０の構成は、汚水の種類や要求される処理能力に応じて適宜に設定される。
【００５５】
本実施形態の水処理装置１では、ポンプを用いて汚水、処理水および酸素を圧送しているが、汚水、処理水および酸素を送り出す方法は限定されるものではない。
【符号の説明】
【００５６】
１      水処理装置
２      排水槽
２ａ    流入路
２ｂ    排水路
１０    混合装置
１１    貯留室
１２    処理槽
１３    注入口
１４    排出口
１５    排出管
２０    液体供給装置
２１    注入用ポンプ
２２    注入管
３０    気体供給装置
３１    コンプレッサ
３２    供給管
４０    水質測定器
４１    溶存酸素濃度センサ
４２    硫化水素濃度センサ
５０    制御装置
５１    タイマー
６０    排水装置
６１    排水用ポンプ
６２    排水管
【図１】
2019085771.tif 000003
【図２】
2019085771.tif 000004